(57)【要約】【課題】天井タイルシステムに組込むことができるアダプタブル（適合可能）天井タイルを提供することにある。【解決手段】アダプタブル天井タイル構造およびこのような天井タイルを用いた吊下げ天井システムを開示する。ファブリックまたは荒目地クロス等のカバー層（１０４）が、開口を横切って引っ張られて、カバー層の主平面を形成する支持表面と周辺凹部（１０３）を形成するオフセット部分とを備えたフレームに取付けられる。天井タイルは、周辺凹部内に挿入できるように構成された端部と、カバー層に取付けられる中間部とを有する予製造されたトリムピースを用いて特別注文に対処できる。トリムピースがひとたび所定位置に配置されると、周辺フレームおよびカバー層の一部が、一般に切断により除去されて特別注文天井タイルが完成される。【選択図】図５Ａ
2008528841.tif 000002
【特許請求の範囲】
【請求項１】
単一主開口を形成する周辺フレーム（１０２）を備えた天井タイル（１００）を有し、周辺フレームは支持表面およびオフセット表面を形成するように構成されており、
前記開口を横切って支持表面上に延びているカバー層（１０４）を有し、該カバー層（１０４）は前記オフセット表面と協働して凹部（１０３）を形成し、
前記凹部内に挿入されて小さい開口を形成するように構成された部分と、カバー層（１０４）に取付けることができる接触表面とを備えたトリム要素（１０８）を更に有することを特徴とするアダプタブル天井タイルシステム。
【請求項２】
前記カバー層は、接着、ステープリング、溶着、かしめ、圧着、リテーニングおよびステッチングからなる群から選択される１つ以上の固着方法により周辺フレームに取付けられることを特徴とする請求項１記載のアダプタブル天井タイルシステム。
【請求項３】
前記オフセット表面は、トリム要素の挿入部分を保持する突出構造（１２８）を有していることを特徴とする請求項１記載のアダプタブル天井タイルシステム。
【請求項４】
前記周辺フレームは、オフセット表面がカバー層から離れる方向に曲がり得るように構成されていることを特徴とする請求項１記載のアダプタブル天井タイルシステム。
【請求項５】
前記カバー層は荒目地クロス（ベール）であり、周辺フレームはポリマー配合物であることを特徴とする請求項１記載のアダプタブル天井タイルシステム。
【請求項６】
前記ポリマー配合物は補強構造（１２２）を有していることを特徴とする請求項５記載のアダプタブル天井タイルシステム。
【請求項７】
前記周辺フレームは取付け表面（１２４）を有し、該取付け表面は支持表面からオフセットしていることを特徴とする請求項１記載のアダプタブル天井タイルシステム。
【請求項８】
前記周辺フレームは支持表面に隣接する凹部（１１８）を有し、該凹部は、カバー層を周辺フレームに固定するリテーナ要素（１２０）を受入れるように構成されていることを特徴とする請求項１記載のアダプタブル天井タイルシステム。
【請求項９】
前記カバー層の方向に実質的に垂直な方向に延びている保持構造（１１２）と、
該保持構造を曲げるべく周辺フレームに設けられたアクセス開口とを有していることを特徴とする請求項１記載のアダプタブル天井タイルシステム。
【請求項１０】
前記カバー層の方向に実質的に垂直な方向に延びている保持構造（１１２）と、
曲げ要素（１１６）とを有し、該曲げ要素は、これを移動させることにより保持構造を曲げることができるように構成されていることを特徴とする請求項１記載のアダプタブル天井タイルシステム。
【請求項１１】
隣接する天井タイル間の明白な分離を小さくするための、周辺フレームの延長部（１０２ｃ）を更に有することを特徴とする請求項７記載のアダプタブル天井タイルシステム。
【請求項１２】
前記トリム要素の部分の前記凹部内への移動を制限するための、前記オフセット表面からカバー層へと延びているストップ要素（１２６）を更に有することを特徴とする請求項１記載のアダプタブル天井タイルシステム。
【請求項１３】
小さい開口を備えた特別注文の天井タイルを作る方法において、
基本天井タイル（１００）を得る段階を有し、基本天井タイルは単一主開口を形成する周辺フレーム（１０２）を有し、該周辺フレームは支持表面およびオフセット表面を形成するように構成されており、前記開口を横切って支持表面上に延びているカバー層（１０４）を更に有し、該カバー層（１０４）は前記オフセット表面と協働して凹部（１０３）を形成し、
小さい開口を形成するのに、主開口に必要とされる変更を決定する段階と、
小さい開口を作るようにトリム要素を構成する段階と、
トリム要素の一部を凹部内に挿入しかつ接触表面をカバー層に取付けて小さい周辺を形成する段階と、
小さい周辺を越える周辺フレームおよびカバー層の部分を除去する段階とを有することを特徴とする方法。
【請求項１４】
前記トリム要素は、真直トリム要素、アングルトリム要素および湾曲トリム要素からなる群から選択される標準形状から選択されることを特徴とする請求項１３記載の方法。
【請求項１５】
前記トリム要素は、真直トリム要素、直角トリム要素および弧状トリム要素からなる群から選択される標準形状から選択されることを特徴とする請求項１３記載の方法。
【請求項１６】
複数の基本天井タイルおよび特別注文天井タイルを支持するように構成された吊下げ格子と、
単一主開口を形成する周辺フレーム（１０２）により形成された正多角形の周辺を備えた基本天井タイルとを有し、周辺フレームは支持表面およびオフセット表面を形成するように構成され、カバー層（１０４）は開口を横切って支持表面上に延びており、カバー層はオフセット表面と協働して凹部を形成し、
特別注文天井タイルは不規則周辺を備え、該不規則周辺は、トリム要素（１０８）を構成し、トリム要素の一部を凹部（１０３）内に挿入し、トリム要素の接触表面をカバー層に取付けて不規則周辺を形成し、特別注文天井タイルを形成すべく不規則周辺を越えて延びている周辺フレームおよびカバー層の部分を除去することにより基本天井タイルを修正することにより形成されることを特徴とする天井タイル設置システム。
【請求項１７】
前記天井タイルに設けられた保持構造（１１２）を更に有し、該保持構造（１１２）は、吊下げ格子と協働して、設置された天井タイルの位置を維持することを特徴とする請求項１６記載の天井タイル設置システム。
【請求項１８】
前記天井タイルの周辺フレームには、保持構造にアクセスしかつ該保持構造を解放して天井タイルを除去できるようにする開口が設けられていることを特徴とする請求項１７記載の天井タイル設置システム。
【請求項１９】
前記周辺フレームは、吊下げ格子の一部を隠蔽して、隣接タイル間の目に見える間隔を小さくする延長部を有していることを特徴とする請求項１６記載の天井タイル設置システム。
【発明の詳細な説明】
【技術分野】
【０００１】
本発明は、構造的格子により支持される複数の天井タイルを備えた吊下げ天井に関し、より詳しくは、吊下げ天井の設置時に、周囲の他の構造および障害物に一層容易に適合できる改善された天井タイルが組込まれた改善された吊下げ天井システムに関する。
【背景技術】
【０００２】
部屋にドロップシーリング（drop ceiling）または吊下げ天井を設けるための多数のシステムおよび構造が開発されている。当業者ならば理解されようが、吊下げ天井は、実質的なレベルを確立するための天井梁または補強コンクリート構造の下面等の主オーバヘッド構造から間隔を隔てて配置される、仕上げ空間のためのより審美性に優れた天井である。吊下げ天井は、主オーバヘッド構造または該主オーバヘッド構造に設けられる胴縁（furring strips）または他のアタッチメント領域に直接取付けられる天井システム上の空間を仕上げるための改善されたフレキシビリティを与える。吊下げ天井は、一般に、長方形または正方形の個々のタイルを備えた複数の個々の天井タイルを有している。
【０００３】
このようなシステムに使用される個々の天井タイルの配合物はまた、タイルボディを形成すべくキャスティングされるプレス成形繊維材料または合成ポリマーおよび合成樹脂等の多くの異なる材料から製造されている。天井タイルにはまた、美的外観および／または吸音性を改善するための少なくとも１つのエンボス加工表面またはテクスチャ加工表面を設けることができる。フレームと、該フレーム上に設けられかつ該フレームにより支持されるカバー層との組合せを用いて、他の形式の天井タイルを製造することもできる。図１、図２Ａおよび図２Ｂには、フレームおよびカバー層が組込まれた従来の天井タイルの１つの構造が示されている。
【０００４】
従来の吊下げ天井システムは、一般に、個々のタイルを支持するためのトラックシステムまたは格子組立体を使用している。天井タイル、格子組立体およびタイルの適正設置は、一般に、比較的狭い幾何学的条件範囲内に制限されることは理解されよう。従来の組立体は、天井タイルの露出面が一般に単一平面内にありかつ隣接する列（column）から所定の均一距離だけオフセットされた交互の行（rows）または列を形成する或る形状をもつ、行と列とからなる規則的配列に配置される。いずれにせよ、天井タイルは、一般に、均一パターンが創出されるようにして配置される。
【０００５】
また、吊下げ天井は、格子組立体および天井タイルを、例えば天井空間のコーナ、パイプ、ダクト、柱等並びに周辺での天井空間のプロファイルの障害物または他の変化に適合させる１つ以上の方法が得られるものでなくてはならない。従来の１つの吊下げ天井システムでは、格子組立体について定められる高さ位置で、壁の内周部には壁アングルモールディングが取付けられる。次に、壁アングルモールディングと整合しかつ該モールディングに取付けられる逆「Ｔ形」要素を用いて、格子組立体が建造される。殆どの場合、格子要素は金属で作られていて、金切りばさみ、打抜き工具または他の適当な切断器具を用いて切断しなければならず、従って何らかのバリおよび鋭い縁部は、設置前にヤスリで削り落さなくてはならない。
【０００６】
天井タイルを支持する格子を形成する「Ｔバー」吊下げ要素および「Ｚバー」吊下げ要素を用いた従来の吊下げ天井構造は、支持格子要素のフランジが露出されること（これは、設置された天井の美的クオリティを低下させる）を含む或る欠点を有している。この欠点は、仕上げ金属表面を用いることにより少なくとも部分的に対処できるが、製造コストが付随して増大される。この問題に対処するため、種々の隠蔽形格子組立体のＴバー構造が開発されているが、これらの解決方法の多くは、取外しが容易でなく、吊下げ天井裏の空間にアクセスするには１つ以上の天井タイルを破壊しなければならないことを含む他の問題を有している。天井裏の空間にアクセスする他の設計として、１つ以上のキータイルを設置位置から「開」位置へとシフトまたは回転可能にする付加ラッチング構造および／またはピボット構造を組込んだものがある。
【発明の開示】
【発明が解決しようとする課題】
【０００７】
本発明は、天井タイルシステムに組込むことができるアダプタブル（適合可能）天井タイルを開示する。
【課題を解決するための手段】
【０００８】
基本天井タイルは単一主開口を包囲する周辺フレームを有し、周辺フレームは、支持表面を形成する主部分およびオフセット表面を形成するオフセット部分を形成するように構成されている。織成または不織ファブリックまたは荒目地クロス等のカバー層が、開口を横切って引っ張られかつフレームに取付けられる。支持表面は、開口全体に延びるカバー層の部分の平面を全体として形成する。
【０００９】
カバー層とフレームのオフセット表面との間には、周辺凹部が形成される。天井タイルは、次に、周辺凹部内に挿入されるように構成された端部と、カバー層の下に横たわる部分の支持体に取付けられる中間部とを有する１つ以上の予製造されたトリムピースを用いて特別注文に対処すなわち適合される。トリムピースがひとたび所定位置に配置されると、周辺フレームおよびカバー層の一部が、一般に切断により除去されて、修正タイルの周辺部としてトリムピースが組込まれた特別注文天井タイルが完成される。
【００１０】
トリムピースは、真直形状、湾曲形状またはアングル状を含む一定範囲内の標準形状として提供され、これにより、設置業者は、天井タイルを、吊下げ天井のプロファイルを邪魔するパイプおよび柱等の広範囲の構造物に容易に適合させることができる。
【００１１】
より詳細に後述するように、天井タイルに使用される周辺フレームは、広範囲の形態で提供される。一例示実施形態では、周辺フレームには、支持格子の下面の少なくとも一部を隠蔽して、隣接天井タイル間の目に見える間隔を小さくする延長部を設けることができる。周辺フレームには、天井タイルを支持格子に一時的に取付けるための１つ以上の解放可能な保持構造または要素を組込むこともできる。
【発明を実施するための最良の形態】
【００１２】
概略的に上述した本発明による吊下げ天井システムおよびアダプタブル天井タイルの特徴および長所は、本発明の例示実施形態についての以下の詳細な説明および添付図面から一層明瞭になるであろう。
本発明の上記および他の特徴および長所は、添付図面を参照して述べる例示実施形態についての詳細な説明から一層明瞭になるであろう。
【００１３】
添付図面は、以下に詳述する本発明の例示実施形態の理解を補助するためのものであり、本発明を過度に制限するものと解釈すべきではない。より詳しくは、図示の種々の要素の相対間隔、相対位置、サイジングおよび寸法の縮尺は必ずしも正確でなく、明瞭性を高める目的で誇張され、短縮されまたは改変されている場合もある。
【００１４】
当業者ならば、図面の明瞭性を高めかつ図面の数を減少させるため、一定範囲の変更構造が省略されていることも理解されよう。同様に、当業者ならば、図２Ａ−図９Ｃに示す例示実施形態に示す種々の構造的要素の或るものは、意図する用途に特別あつらえできる天井タイル構造を作るための他の構造を形成すべく選択的かつ独立的に組合せることができることも理解されよう。
【００１５】
例示実施形態
図１に示すように、従来の天井タイル構造１０は周辺フレーム１２ａを有し、該周辺フレーム１２ａは、このセクション間に延びている複数のスポークまたはクロスメンバ１２ｂを備えている。クロスメンバ１２ｂは、カバー層１４を一連の開口に分割するものであり、例えばＡ−Ａ’線に沿う断面で見ると、特別注文の天井タイルの周辺に沿ってカバー層の支持されない部分を残してしまう。図２Ａおよび図２Ｂに示すように、クロスメンバ１２ｂはほぼ均一の断面を有し（図２Ａ）、または中空（図示せず）の「Ｔ」形構造（図示せず）またはチャネル構造（図２Ｂ）を有している。
【００１６】
本発明による一例の天井タイル１００が図３Ａに示されており、該天井タイル１００は、単一開口を包囲する周辺フレーム１０２と、前記開口を横切って延びかつ周辺フレーム１０２に取付けられたカバー層１０４とを有している。図３ＡのＡ−Ａ’線に沿う断面図である図３Ｂに示すように、周辺フレーム１０２は、接着剤層１０６、またはステッチング(stitching)、溶着(welding)、ステープリング(stapling)、かしめ(crimping)、圧着(pressing)、リテーニング(retaining)、クリッピング(clipping)、または他の機械的アタッチメントおよび／または摩擦アタッチメント（図示せず）等の他の適当なアタッチメント手段を用いてカバー層１０４に取付けることができる。フレームの断面構造は「Ｓ」形または「Ｚ」形にすることができる。或いは、フレームの断面構造は、周辺フレーム１０２の内方に延びたオフセット部分（該部分は、カバー層１０４またはフレームの他の突出部（図示せず）と組み合せて周辺凹部１０３を形成する）を有するより複雑な構造を使用できる。
【００１７】
図４Ａに示すように、例示の天井タイル１００は、周辺フレーム１０２の一部から周辺フレームの他部に延びかつ少なくとも一部が両端部の凹部１０３内に延びるトリム要素またはトリムピース１０８を用いて変更できる。図４Ｂに示すように、トリム要素１０８は、一般に、接着剤層１１０を用いて、トリム要素１０８により覆われるカバー層１０４の一部に取付けられる。予製造されるトリム要素１０８には、接着剤表面を露出させる前に除去される被覆層を備えた両面接着テープを設けることができる。接着剤層１１０は現場塗布することもでき、また連続的に塗布しても連続的でなくてもよい。しかしながら、使用される接着手段は、カバー層１０４の露出表面の外観を損ねないもの、すなわち、塗布中または特別注文天井タイルの予想有効寿命中に、退色せず、カバー層を通って染み出たり、押出されないものが好ましい。
【００１８】
図５Ａに示すように、トリム要素１０８が、ひとたび所定位置に配置されかつ下に横たわるカバー層１０４の領域の少なくとも一部に取付けられたならば、周辺フレーム１０２およびカバー層１０４の一部を除去でき、これにより、周辺フレーム１０２ａおよびトリム要素１０８が、修正された天井タイルまたは特別注文天井タイル１００ａの周辺を形成する。図５Ｂに示すように、トリム要素１０８および接着剤層１１０は、カバー層１０４ａの残部の切断縁部の実質的に連続した支持体を形成でき、これにより、天井タイル１００ａの残部の外観を損なう傾向を有する弛みまたは皺（しわ）を低減できる。
【００１９】
図６Ａに示すように、トリム要素１０８は、全体として長方形の障害物の回りに配置できるように、天井タイル１００ａを特別注文した構成にすることができる。トリム要素１０８は、図５Ａに示すように、２つのトリム要素の交差部で、斜め継ぎ（図示のもの）、突合せ、オーバーラップまたは他のアタッチメントを用いて２つの真直トリム要素を取付けることにより形成できる。同様に、例えば３０°、４５°、６０°または９０°等の１つ以上の共通角度を形成する予製造されたトリム要素を用いることにより、特別注文天井タイル用のより複雑なトリム要素を現場組立てする必要性を低減させおよび／または簡単化することができる。図６Ｂに示すように、予製造トリム要素１０８は、全体として円筒状または丸い表面をもつパイプ、柱または他の障害物に適合できるように特別注文された天井タイルを現場で組立てる必要性を低減させおよび／または簡単化すべく、種々の半径をもつ湾曲形状、円形形状または弧状形状に形成できる。
【００２０】
図７Ａに示すように、本発明による例示天井タイル１００は、天井タイルの縁部が載置される支持フランジ２０２を有する複数の支持部材２００から形成される支持構造体すなわち支持格子に配置できる。図７Ａに示す構成では、支持フランジ２０２は、天井タイル１００が所定位置に配置されたときに完全に露出される表面２０２ａを有している。これも図７Ａに示すように、トリム要素１０８の端部には、周辺フレーム１０２のオフセット部分と係合してその取付けを強化できる凹部１０９を設けることができる。また図７Ａには、任意であるが、凹部の少なくとも一部を形成し、これによりトリム要素１０８の端部の付加機械的支持体を形成するための周辺フレーム１０２の下方内方突出部を使用すること、および例えばトリム要素１０８の端部の強度、耐久性および／または寸法調節を改善すべくトリム要素の適当表面に設けられた補強領域１０８ａを使用することの両方が示されている。
【００２１】
図７Ｂに示すように、周辺フレーム１０２には、支持フランジ２０２の露出表面の一部の下で該露出表面の一部を横切って延びる延長部１０２ｃを設けることができる。また周辺フレーム１０２には、弾性保持要素（または部材）または押圧保持要素（または部材）１１２を設けることもできる。該保持要素（または部材）１１２は、周辺フレームから全体として上方に突出していて、天井タイルを支持格子に着脱可能に取付けることができるように構成されている。保持要素１１２は、天井タイルを支持格子に挿入しまたは取外すことができるように、取付け位置と解放位置との間で、水平軸線または垂直軸線の回りを曲るか回転できるように構成されている。
【００２２】
周辺フレーム１０２には、保持要素１１２に接触して該保持要素を曲げるための工具または指を通す開口を設けることができる。この開口は、これを塞ぐためのプラグまたはインサート１０２ｄを用いて隠蔽することができる。開口の代わりに、周辺フレーム１０２には、外部に露出したボタン、スライド、タブ、ファスナまたは他の構造を操作して保持要素１１２を曲げる簡単な機構１１６を組込むことができる。また図７Ｂに示すように、周辺フレームには突出部１０２ｂを設けることができ、該突出部１０２ｂは、周辺フレームの延長部１０２ｃから延び、支持フランジ２０２の下でかつ該支持フランジから内方に間隔を隔てて配置できる。開口の場合と同様に、操作のためのアクセスが必要となる場合以外は機構１１６の露出部分を隠蔽しておくため、プラグまたはカバー要素を設けることができる。
【００２３】
図８Ａに示すように、本発明による例示天井タイルには、意図した用途に適した強度およびサイジングを付与すべく、必要に応じて適合される或る構造的要素および寸法を設けることができる。図８Ａに示すように、フレームのオフセット部分は特徴的な長さＦおよび厚さＴoを有し、カバー層１０４から凹部高さＤだけ分離される。フレームの支持部分は特徴的長さＢおよび厚さＴｓを有し、フレームの支持部分とオフセット部分とは、長さＩの遷移部分すなわち中間部分により分離されている。
【００２４】
図８Ｂに示すように、周辺フレーム１０２には１つ以上の凹部１１８を設けることができ、該凹部１１８内には、カバー層１０４をフレームに固定しおよび／または天井タイルの美的外観を向上させるための対応アタッチメント要素１２０を挿入または嵌合できる。
【００２５】
図８Ｃに示すように、周辺フレーム１０２には、周辺フレームの強度および／または剛性を増大させるための１つ以上の補強部材１２２が設けられており、これにより、所望強度および／または寸法を得るのに必要な材料（一般にポリマー材料）として低品質のものを使用できる。また、図７Ａに示したように、支持表面（カバー層１０４の部分を備えたものまたは備えていないもの）は支持フランジ２０２上に載置できるが、図８Ｃ−図８Ｅに示すように、周辺フレーム１０２には、カバー層１０４を支持フランジに対して種々のレベル、すなわち支持フランジに対して上方または下方に配置できるようにする、支持表面からオフセットした取付け表面１２４を形成する延長部を設けることができる。
【００２６】
図８Ｅおよび図８Ｆに示すように、カバー層１０４の主平面は、一般に周辺フレーム１０２、修正周辺フレーム１０２ａおよび１つ以上のトリム要素１０８の支持表面（単一または複数）により形成されるが、カバー層１０４には、支持表面を越えて延びかつ支持表面からオフセットしている１つ以上の遠隔表面に沿って周辺フレームに取付けられる付加周辺部分１０４ｂを設けることができる。これらの構造は、カバー層がより多くの周辺フレームを隠蔽することを可能にしかつ天井パネルの外観を向上させるのに使用できる。
【００２７】
図９Ａに示すように、特別注文天井パネルの一例示実施形態は、周辺フレーム１０２のオフセット部分とカバー層１０４との間に形成された凹部内に延びているトリム要素１０８の端部を有し、かつ接着剤層１１０を用いてカバー層１０４に取付けられる。図９Ｂに示すように、図９Ａの基本実施形態は、凹部１０３内へのトリム要素の挿入深さを調節するためのストッピング構造１２６と、凹部１０３内でのトリム要素の保持を改善するための歯または隆起部１２８等の突出構造とを組込むべく変更できる。図９Ｃに示すように、図９Ａの基本実施形態は、弱化部分またはより弾性の大きい部分１３０を備えたものに変更することもできる。この弱化部分またはより弾性の大きい部分１３０は、トリム要素１０８の端部の挿入を簡単化すべく凹部のサイジングを大きくしかつ挿入後にオフセット部分がその元の位置に戻ることができるように、周辺フレーム１０２のオフセット部分の突出部が曲ることができるようにするためのものである。
【００２８】
以上、本発明を或る例示実施形態に関連して説明したが、当業者ならば、上記詳細な説明と矛盾しない態様で、上記構造および方法に多くの変更を加えることができることは明白であろう。より詳しくは、カバー層は単一要素であるとして説明したが、本発明は、デザイナ、技術者またはユーザが、外観、強度、不透明性および／または音響特性等の天井タイルの１つ以上の特性に適合できるように、複数のカバー層（カバー層は同一でも、異なるものでもよい）を取入れることができる。１つ以上のカバー層を設ける場合には、１つ以上の層を、任意の隣接層（単一または複数）に対して隣接した形態または分離した形態で取付けることができる。１つ以上のカバー層が使用される場合、カバー層は全体として平行に配置されるか、１つ以上のカバー層を、例えば支持要素間に吊下げられた、波形部分または連鎖部分のようなより複雑な構造にすることができる。当業者ならば明らかであろうが、開示した種々の例示実施形態の或る態様は、他の開示実施形態またはこれらの変更形態のいずれかの特徴と組合せて使用し、特許請求に係る発明を取入れているが意図した使用または性能条件により適合する、本願に例示しない付加実施形態を作ることができる。従って、本発明は、特許請求の範囲の精神および広い範囲内に包含されるこのような種々の変更を含むものである。
【図面の簡単な説明】
【００２９】
【図１】従来の天井タイル構造を示す平面図である。
【図２Ａ】図１のＡ−Ａ’線に沿う従来の天井タイル構造の断面図である。
【図２Ｂ】図１のＡ−Ａ’線に沿う断面図である。
【図３Ａ】本発明による例示天井タイル構造を示す平面図である。
【図３Ｂ】図３ＡのＡ−Ａ’線に沿う断面図である。
【図４Ａ】トリムピースが付加されている点を除き図３Ａおよび図３Ｂの構造と全体的に同じである本発明による例示天井タイル構造を示す平面図である。
【図４Ｂ】図４ＡのＡ−Ａ’線に沿う断面図である。
【図５Ａ】特別注文天井タイルを作るべくオリジナルのタイルの一部が除去されている点を除き図４Ａおよび図４Ｂの構造と全体的に同じである本発明による例示天井タイル構造を示す平面図である。
【図５Ｂ】図５ＡのＡ−Ａ’線に沿う断面図である。
【図６Ａ】特別注文天井タイルを作るべくオリジナルのタイルの一部が除去されている、本発明による例示特別注文天井タイル構造を示す平面図である。
【図６Ｂ】特別注文天井タイルを作るべくオリジナルのタイルの一部が除去されている、本発明による例示特別注文天井タイル構造を示す平面図である。
【図７Ａ】支持フレームまたは支持格子から天井タイルを支持する他の例示天井タイル構造を示す断面図である。
【図７Ｂ】支持フレームまたは支持格子から天井タイルを支持する他の例示天井タイル構造を示す断面図である。
【図８Ａ】他の例示天井タイル構造を示す断面図である。
【図８Ｂ】他の例示天井タイル構造を示す断面図である。
【図８Ｃ】他の例示天井タイル構造を示す断面図である。
【図８Ｄ】他の例示天井タイル構造を示す断面図である。
【図８Ｅ】他の例示天井タイル構造を示す断面図である。
【図８Ｆ】他の例示天井タイル構造を示す断面図である。
【図９Ａ】特別注文天井タイルを作るべくトリムピースの挿入に適合できる例示構造を示す例示天井タイル構造を示す断面図である。
【図９Ｂ】特別注文天井タイルを作るべくトリムピースの挿入に適合できる例示構造を示す例示天井タイル構造を示す断面図である。
【図９Ｃ】特別注文天井タイルを作るべくトリムピースの挿入に適合できる例示構造を示す例示天井タイル構造を示す断面図である。
【図１】
2008528841.tif 000003
【図２Ａ】
2008528841.tif 000004
【図２Ｂ】
2008528841.tif 000005
【図３Ａ】
2008528841.tif 000006
【図３Ｂ】
2008528841.tif 000007
【図４Ａ】
2008528841.tif 000008
【図４Ｂ】
2008528841.tif 000009
【図５Ａ】
2008528841.tif 000010
【図５Ｂ】
2008528841.tif 000011
【図６Ａ】
2008528841.tif 000012
【図６Ｂ】
2008528841.tif 000013
【図７Ａ】
2008528841.tif 000014
【図７Ｂ】
2008528841.tif 000015
【図８Ａ】
2008528841.tif 000016
【図８Ｂ】
2008528841.tif 000017
【図８Ｃ】
2008528841.tif 000018
【図８Ｄ】
2008528841.tif 000019
【図８Ｅ】
2008528841.tif 000020
【図８Ｆ】
2008528841.tif 000021
【図９Ａ】
2008528841.tif 000022
【図９Ｂ】
2008528841.tif 000023
【図９Ｃ】
2008528841.tif 000024
【国際調査報告】
2008528841.tif 000025
2008528841.tif 000026